(57)【要約】【課題】洗濯機による洗濯、脱水、乾燥動作に起因して乾燥後の洗濯物に型崩れ、しわ等が残るのを防止する被洗濯物の型崩れ防止用洗濯補助具を提供する。【解決手段】洗濯物をその周囲に巻き付けるための被巻付け具と、洗濯物を巻き付けた被巻付け具全体を覆うネットとから構成する。被巻付け具は合成樹脂、発泡ゴム、ウレタン等を用いて肉厚の薄い円筒状に形成し、その側壁全面には小さな丸穴貫通孔を網目状に形成する。ネットは伸縮性の高い素材にて被巻付け具に巻き付けた洗濯物を被巻付け具に軽く締めつける大きさの円筒状に形成し、円筒状両端部には開口部を開閉する口紐が取り付ける。【選択図】図３
2014110824.tif 000002
【特許請求の範囲】
【請求項１】
洗濯物を洗濯機で洗濯、脱水、乾燥等する際に洗濯物に型崩れ、しわ等が発生するのを防ぐため洗濯物を一定姿勢に保持する洗濯物の型崩れ防止用洗濯補助具であって、
洗濯物をその周囲に巻き付ける被巻付け具と、洗濯物を巻き付けた被巻付け具全体を覆うネットとから構成され、
前記被巻付け具は合成樹脂、発泡ゴム、ウレタン等を用いて肉厚の薄い円筒状に形成し、その側壁全面には小さな丸穴貫通孔が網目状に形成されており、
前記ネットは伸縮性の高い素材にて前記被巻付け具に巻き付けた洗濯物を被巻付け具に軽く締めつける大きさの円筒状に形成し、円筒状両端部には開口部を開閉する口紐が取り付けてあることを特徴とする洗濯物の型崩れ防止用洗濯補助具。
【請求項２】
請求項１に記載の洗濯物の型崩れ防止用洗濯補助具において、前記被巻付け具は円筒状に代えて楕円筒状に形成してあり、前記ネットは円筒状に代えて楕円筒状に形成してあることを特徴とする洗濯物の型崩れ防止用洗濯補助具。
【請求項３】
請求項１に記載の洗濯物の型崩れ防止用洗濯補助具において、前記被巻付け具は円筒状に代えて、発泡スチロール、発泡ウレタン、発泡ゴム等を用いて肉厚の矩形板状に形成し、表面には滑り止めのための小さな突起が網目状に形成されており、前記ネットは円筒状に代えて前記被巻付け具に巻き付けた洗濯物を被巻付け具に軽く締めつける大きさの矩形筒状に形成してあることを特徴とする洗濯物の型崩れ防止用洗濯補助具。
【請求項４】
請求項１に記載の洗濯物の型崩れ防止用洗濯補助具において、前記被巻付け具は円筒状に代えて、合成樹脂を用いて肉厚の薄い密閉円筒状に形成し、その円筒状側壁表面には滑り止めのための小さな突起が網目状に形成してあることを特徴とする洗濯物の型崩れ防止用洗濯補助具。
【請求項５】
請求項１乃至４の何れかに記載の洗濯物の型崩れ防止用洗濯補助具において、前記被巻付け具は丸穴貫通孔、小突起等に代えて外表面に滑り止めのためのシリコンゴム、ウレタンゴム等による薄い膜が形成してあることを特徴とする洗濯物の型崩れ防止用洗濯補助具。
【請求項６】
請求項５に記載の洗濯物の型崩れ防止用洗濯補助具において、前記薄い膜の表面には滑り止めのためのシリコンゴム、ウレタンゴム等による小さな突起が網目状に更に形成してあることを特徴とする洗濯物の型崩れ防止用洗濯補助具。
【発明の詳細な説明】
【技術分野】
【０００１】
本発明は、洗濯機を使用した洗濯、脱水、乾燥工程中に被洗濯物に型崩れ、しわ等が発生するのを防止する洗濯物の型崩れ防止用洗濯補助具に関する。
【背景技術】
【０００２】
洗濯機を使用した洗濯、脱水、乾燥の各工程では洗濯物に大きな機械的力が働き洗濯物は様々な形に変形する。この変形に起因して乾燥後の被洗濯物には型崩れが生じていたり、しわが残っていたりする。こうした問題を解決すべく、従来より型崩れやしわの発生を防止するための洗濯補助具が種々、提案されている。
【０００３】
代表的な洗濯補助具としては洗濯ネットがあり、種々の形状のものが提案されている（例えば、特許文献１、２参照）。しかし、洗濯、乾燥工程では被洗濯物を収納した洗濯ネット全体がよじれて大きく変形するため乾燥後の被洗濯物に型崩れやしわが発生する。
【０００４】
洗濯物が洗濯ネットと共に変形するのを防止するため、特許文献３には多数の穴の開いた筒に筒の幅の約２倍の平面状ネットを取り付け、該ネット上に洗濯物を広げ、筒の幅に合わせて洗濯物とネットを一緒に折り畳んで筒に巻きつけ、最後に長さ調節可能なゴムでしっかり留める洗濯補助具が開示されている。しかし、この洗濯補助具の場合、折り畳んだ洗濯物の間にネットが挟み込まれるためネット自体が洗濯や乾燥を妨げる。また、洗濯物を巻き付けた上をゴムでしっかり留めるため洗濯物の洗濯や乾燥が妨げられる上、ゴムでしっかり留めることにより乾燥後の洗濯物にしわが残りやすい問題がある。
【先行技術文献】
【特許文献】
【０００５】
【特許文献１】実公平０６−３７８３２号公報
【特許文献２】登録実用新案３００３４７０号公報
【特許文献３】特開２００６−２３０９８１号公報
【発明の概要】
【発明が解決しようとする課題】
【０００６】
本発明は、従来技術のこうした問題点を解決するためになされたもので、その課題は洗濯機による洗濯、脱水、乾燥動作に起因して乾燥後の洗濯物に型崩れ、しわ等が残るのを防止する洗濯物の型崩れ防止用洗濯補助具を提供することにある。
【課題を解決するための手段】
【０００７】
前記課題を解決するための請求項１に記載の発明は、洗濯物を洗濯機で洗濯、脱水、乾燥等する際に洗濯物に型崩れ、しわ等が発生するのを防ぐため洗濯物を一定姿勢に保持する洗濯物の型崩れ防止用洗濯補助具であって、洗濯物をその周囲に巻き付ける被巻付け具と、洗濯物を巻き付けた被巻付け具全体を覆うネットとから構成され、被巻付け具は合成樹脂、発泡ゴム、ウレタン等を用いて肉厚の薄い円筒状に形成し、その側壁全面には小さな丸穴貫通孔が網目状に形成されており、ネットは伸縮性の高い素材にて被巻付け具に巻き付けた洗濯物を被巻付け具に軽く締めつける大きさの円筒状に形成し、円筒状両端部には開口部を開閉する口紐が取り付けてあることを特徴とする洗濯物の型崩れ防止用洗濯補助具である。
【０００８】
このような構成の型崩れ防止用洗濯補助具を用いれば、洗濯物は全処理工程を通して被巻付け具に軽く締めつけられた一定姿勢を維持する。これにより洗濯物は折れ曲がり等の大きな変形を受けないため、型崩れやしわの発生が防止される効果を奏する。
【０００９】
また、請求項２に記載の発明は、請求項１に記載の洗濯物の型崩れ防止用洗濯補助具において、被巻付け具は円筒状に代えて楕円筒状に形成してあり、ネットは円筒状に代えて楕円筒状に形成してあることを特徴とする洗濯物の型崩れ防止用洗濯補助具である。
【００１０】
このような構成の型崩れ防止用洗濯補助具も請求項１に記載の発明と同様の効果を奏する。
【００１１】
また、請求項３に記載の発明は、請求項１に記載の洗濯物の型崩れ防止用洗濯補助具において、被巻付け具は円筒状に代えて、発泡スチロール、発泡ウレタン、発泡ゴム等を用いて肉厚の矩形板状に形成し、表面には滑り止めのための小さな突起が網目状に形成されており、ネットは円筒状に代えて被巻付け具に巻き付けた洗濯物を被巻付け具に軽く締めつける大きさの矩形筒状に形成してあることを特徴とする洗濯物の型崩れ防止用洗濯補助具である。
【００１２】
このような構成の型崩れ防止用洗濯補助具も請求項１に記載の発明と同様の効果を奏する。
【００１３】
また、請求項４に記載の発明は、請求項１に記載の洗濯物の型崩れ防止用洗濯補助具において、被巻付け具は円筒状に代えて、合成樹脂を用いて肉厚の薄い密閉円筒状に形成し、その円筒状側壁表面には滑り止めのための小さな突起が網目状に形成してあることを特徴とする洗濯物の型崩れ防止用洗濯補助具である。
【００１４】
このような構成の型崩れ防止用洗濯補助具の場合も洗濯物は小さな突起の摩擦力により位置ずれすることなく全処理工程を通して被巻付け具に軽く締めつけられた一定姿勢を維持する。これにより洗濯物は折れ曲がり等の大きな変形を受けないため、型崩れやしわの発生が防止される効果を奏する。
【００１５】
また、請求項５に記載の発明は、請求項１乃至４の何れかに記載の洗濯物の型崩れ防止用洗濯補助具において、被巻付け具は丸穴貫通孔、小突起等に代えて外表面に滑り止めのためのシリコンゴム、ウレタンゴム等による薄い膜が形成してあることを特徴とする洗濯物の型崩れ防止用洗濯補助具である。
【００１６】
このような構成の型崩れ防止用洗濯補助具の場合も洗濯物は薄い膜の摩擦力により位置ずれすることなく全処理工程を通して被巻付け具に軽く締めつけられた一定姿勢を維持する。これにより洗濯物は折れ曲がり等の大きな変形を受けないため、型崩れやしわの発生が防止される効果を奏する。
【００１７】
また、請求項６に記載の発明は、請求項５に記載の洗濯物の型崩れ防止用洗濯補助具において、薄い膜の表面には滑り止めのためのシリコンゴム、ウレタンゴム等による小さな突起が網目状に更に形成してあることを特徴とする洗濯物の型崩れ防止用洗濯補助具である。
【００１８】
このような構成の型崩れ防止用洗濯補助具も請求項５に記載の発明と同様の効果を奏する。
【図面の簡単な説明】
【００１９】
【図１】第１の実施形態に係る型崩れ防止用洗濯補助具の分解斜視図である。
【図２】洗濯物を被巻付け具の周りに巻き付ける状態の説明図である。
【図３】洗濯物を巻き付けた被巻付け具をネットで覆った状態である。
【図４】第２の実施形態に係る楕円筒状の被巻付け具の斜視図である。
【図５】第３の実施形態に係る肉厚の矩形板状の被巻付け具の斜視図である。
【図６】第３の実施形態に係る被巻付け具の小突起を含む一部断面図である。
【図７】第４の実施形態に係る密閉円筒状の被巻付け具の斜視図である。
【図８】第４の実施形態に係る被巻付け具の小突起を含む一部断面図である。
【図９】被巻付け具の表面に摩擦係数の大きな材料による薄い膜を形成した断面図である。
【図１０】被巻付け具の表面の薄い膜に摩擦係数の大きな材料による小突起を更に形成した断面図である。
【発明を実施するための形態】
【００２０】
以下、本発明に係る洗濯物の型崩れ防止用洗濯補助具の実施形態を形態別に図面を参照して説明する。
（第１の実施形態）
図１は第１の実施形態に係る型崩れ防止用洗濯補助具１の分解斜視図である。型崩れ防止用洗濯補助具１は被巻付け具２とネット３とから構成される。被巻付け具２は洗濯物をその周囲に巻き付けるためのもので、本実施形態の被巻付け具２は軽量な合成樹脂、発泡ゴム、ウレタン等を用いて肉厚の薄い円筒状に形成されている。その側壁全面には小さな丸穴貫通孔４が網目状に形成されている。図２に例示するように洗濯物５はしわができないよう伸ばした状態で被巻付け具２の周りに巻き付ける。
【００２１】
ネット３は伸縮性が高い糸素材にて編まれたネットで、洗濯物５を巻き付けた被巻付け具２全体を覆うためのものである。ネット３は円筒状に形成されており、図３に示すように両端の開口部から洗濯物５を巻き付けた被巻付け具２を挿入し、開口部に取り付けてある口紐７にて開口部を閉じる。ネット３は被巻付け具２を収納した状態ではその伸縮性により洗濯物５を被巻付け具２に軽く締めつける大きさに形成されている。ネット３の両端開口部の開閉は、口紐７に代えてファスナーを用いる構造としてもよい。
【００２２】
このように洗濯物５は被巻付け具２に巻き付けてネット３に収納し、ネット３にて被巻付け具２に軽く締めつけた状態にして洗濯機で洗濯、脱水、乾燥等の処理工程を行う。被巻付け具２に設けられた無数の丸穴貫通孔４は、洗濯工程では洗濯物５への洗濯液の循環を促進させ、すすぎ工程ではすすぎを促進させ、乾燥工程では乾燥を促進させる効果を奏する。
【００２３】
このような構成の型崩れ防止用洗濯補助具１を用いた場合、洗濯物５は全処理工程を通して被巻付け具２に軽く締めつけられて一定姿勢を維持する。これにより洗濯物５は折れ曲がり等の大きな変形を受けることがないため、型崩れやしわの発生が防止される効果を奏する。
【００２４】
（第２の実施形態）
図４は第２の実施形態に係る型崩れ防止用洗濯補助具についての被巻付け具２ａの外観斜視図である。本実施形態の型崩れ防止用洗濯補助具も、図１に示した第１の実施形態の型崩れ防止用洗濯補助具１と同様に被巻付け具２ａとネット（図示せず。）により構成される。第１の実施形態の型崩れ防止用洗濯補助具１と異なる点は、被巻付け具２ａを図４に示すように楕円筒状に形成したことである。その側壁には小さな丸穴貫通孔４ａが網目状に形成してある。組み合わせるネットは楕円筒状の被巻付け具２ａに巻き付けた洗濯物を被巻付け具２ａに軽く締めつける大きさの楕円筒状に形成し、楕円筒状両端部には開口部を開閉する口紐を同様に取り付ける。
【００２５】
このような構成の型崩れ防止用洗濯補助具を用いた場合も第１の実施形態の型崩れ防止用洗濯補助具１と同様に、洗濯物は全処理工程を通して被巻付け具２ａに軽く締めつけられた一定姿勢を維持する。これにより洗濯物は折れ曲がり等の大きな変形を受けることがないため、型崩れやしわの発生が防止される効果を奏する。
【００２６】
（第３の実施形態）
図５は第３の実施形態に係る型崩れ防止用洗濯補助具についての被巻付け具２ｂの外観斜視図である。本実施形態の型崩れ防止用洗濯補助具も図１に示した第１の実施形態の型崩れ防止用洗濯補助具１と同様に、被巻付け具２ｂとネット（図示せず。）により構成される。第１の実施形態の型崩れ防止用洗濯補助具１と異なる点は、被巻付け具２ｂを図５に示すように発泡スチロール、発泡ウレタン、発泡ゴム等を用いて肉厚の矩形板状に形成したことにある。矩形板状部には貫通孔に代えて、その表裏面に洗濯物の滑りを防止するための高さの低い小突起１０が網目状に形成してある。図６はその小突起１０を含む部分の一部断面図である。
【００２７】
肉厚の矩形板状の被巻付け具２ｂと組み合わせて使用するネットは、矩形板状の被巻付け具２ｂに巻き付けた洗濯物を被巻付け具２ｂに軽く締めつける大きさの断面矩形筒状に形成し、その両端部には開口部を開閉する口紐を同様に取り付ける。
【００２８】
このような構成の型崩れ防止用洗濯補助具を用いた場合も第１の実施形態の型崩れ防止用洗濯補助具１と同様に、洗濯物は全処理工程を通して被巻付け具２ｂに軽く締めつけられた一定姿勢を維持する。これにより洗濯物は折れ曲がり等の大きな変形を受けることがないため、型崩れやしわの発生が防止される効果を奏する。
【００２９】
（第４の実施形態）
図７は第４の実施形態に係る型崩れ防止用洗濯補助具についての被巻付け具２ｃの外観斜視図である。本実施形態の型崩れ防止用洗濯補助具も図１に示した第１の実施形態の型崩れ防止用洗濯補助具１と同様に、被巻付け具２ｃとネット（図示せず。）により構成される。第１の実施形態の型崩れ防止用洗濯補助具１と異なる点は、被巻付け具２ｃを図７に示すように合成樹脂を用いて肉厚の薄い密閉円筒状に形成したことにある。円筒状部の外表面には貫通孔に代えて洗濯物の滑りを防止するための高さの低い小突起１０ａが網目状に形成してある。図８はその小突起１０ａを含む部分の一部断面図である。
【００３０】
密閉円筒状の被巻付け具２ｃと組み合わせて使用するネットは、矩形板状の被巻付け具２ｃに巻き付けた洗濯物を被巻付け具２ｃに軽く締めつける大きさの円筒状に形成し、その両端部には開口部を開閉する口紐を同様に取り付ける。
【００３１】
このような構成の型崩れ防止用洗濯補助具を用いた場合も第１の実施形態の型崩れ防止用洗濯補助具１と同様に、洗濯物は全処理工程を通して被巻付け具２ｃに軽く締めつけられた一定姿勢を維持する。これにより洗濯物は折れ曲がり等の大きな変形を受けることがないため、型崩れやしわの発生が防止される効果を奏する。
【００３２】
（その他の変形実施形態）
（その１）前記第１、第２の実施形態に係る型崩れ防止用洗濯補助具では、円筒状又は楕円筒状の被巻付け具２、２ａの側壁に小さな丸穴貫通孔４、４ａを網目状に形成したが、これら丸穴貫通孔４、４ａに代えて図８に示したような小突起１０ａを網目状に形成してもよい。網目状に形成した小突起１０ａは、その摩擦により洗濯中に洗濯物が位置ずれして変形状態になるのを防止する効果を発揮する。
【００３３】
（その２）前記第１、第２、第３、第４の実施形態に係る型崩れ防止用洗濯補助具では、円筒状、楕円筒状、矩形板状、中空円柱状等の被巻付け具２、２ａ、２ｂ、２ｃの側壁に小さな丸穴貫通孔４、４ａ又は小突起１０、１０ａを網目状に形成した。これら丸穴貫通孔４、４、小突起１０、１０ａに代えて図９に示したように表面にシリコンゴム、ウレタンゴム等の摩擦係数の大きな材料による薄い膜を形成してもよい。これら摩擦係数の大きな材料による薄い膜は、その摩擦により洗濯中に洗濯物が位置ずれして変形状態になるのを防止する効果を発揮する。
【００３４】
（その３）前記（その２）に記載した摩擦係数の大きな材料による薄い膜の上に、更に
シリコンゴム、ウレタンゴム等による小突起１０ａを図１０に示したように形成してもよい。これら摩擦係数の大きな材料による薄い膜と小突起は、その摩擦により洗濯中に洗濯物が位置ずれして変形状態になるのを防止する効果を発揮する。
【符号の説明】
【００３５】
図面中、１は型崩れ防止用洗濯補助具、２、２ａ、２ｂ、２ｃは被巻付け具、３はネット、４、４ａは丸穴貫通孔、５は洗濯物、７は口紐、１０、１０ａは小突起、１１は薄い膜を示す。
【図１】
2014110824.tif 000003
【図２】
2014110824.tif 000004
【図３】
2014110824.tif 000005
【図４】
2014110824.tif 000006
【図５】
2014110824.tif 000007
【図６】
2014110824.tif 000008
【図７】
2014110824.tif 000009
【図８】
2014110824.tif 000010
【図９】
2014110824.tif 000011
【図１０】
2014110824.tif 000012
【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
洗濯物を洗濯機で洗濯、脱水、乾燥する際に洗濯物に型崩れやしわが発生するのを防ぐため洗濯物を一定姿勢に保持する洗濯物の型崩れ防止用洗濯補助具であって、
洗濯物をその周囲に巻き付ける被巻付け具と、洗濯物を巻き付けた被巻付け具全体を覆うネットとから構成され、
前記被巻付け具は合成樹脂、発泡ゴム、ウレタンの何れかを用いて肉厚の薄い円筒状に形成し、その側壁全面には小径の丸穴貫通孔が網目状に形成されており、
前記ネットは伸縮性の高い素材にて前記被巻付け具に巻き付けた洗濯物を被巻付け具に締めつけできる大きさの円筒状に形成し、円筒状両端部には開口部を開閉する口紐が取り付けてあることを特徴とする洗濯物の型崩れ防止用洗濯補助具。
【請求項２】
請求項１に記載の洗濯物の型崩れ防止用洗濯補助具において、前記被巻付け具は円筒状に代えて楕円筒状に形成してあり、前記ネットは円筒状に代えて楕円筒状に形成してあることを特徴とする洗濯物の型崩れ防止用洗濯補助具。
【請求項３】
請求項１に記載の洗濯物の型崩れ防止用洗濯補助具において、前記被巻付け具は円筒状に代えて、発泡スチロール、発泡ウレタン、発泡ゴムの何れかを用いて肉厚の矩形板状に形成し、表面には滑り止めのための多数の小突起が網目状に形成されており、前記ネットは円筒状に代えて前記被巻付け具に巻き付けた洗濯物を被巻付け具に軽く締めつける大きさの矩形筒状に形成してあることを特徴とする洗濯物の型崩れ防止用洗濯補助具。
【請求項４】
請求項１に記載の洗濯物の型崩れ防止用洗濯補助具において、前記被巻付け具は円筒状に代えて、合成樹脂を用いて肉厚の薄い密閉円筒状に形成し、その円筒状側壁表面には滑り止めのための多数の小突起が網目状に形成してあることを特徴とする洗濯物の型崩れ防止用洗濯補助具。
【請求項５】
請求項１乃至４の何れかに記載の洗濯物の型崩れ防止用洗濯補助具において、前記被巻付け具は丸穴貫通孔、小突起に代えて外表面に滑り止めのためのシリコンゴム、ウレタンゴムの何れかによる薄い膜が形成してあることを特徴とする洗濯物の型崩れ防止用洗濯補助具。
【請求項６】
請求項５に記載の洗濯物の型崩れ防止用洗濯補助具において、前記薄い膜の表面には滑り止めのためのシリコンゴム、ウレタンゴムの何れかによる多数の小突起が網目状に更に形成してあることを特徴とする洗濯物の型崩れ防止用洗濯補助具。
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
洗濯物を洗濯機で洗濯、脱水、乾燥する際に洗濯物に型崩れやしわが発生するのを防ぐため洗濯物を一定姿勢に保持する洗濯物の型崩れ防止用洗濯補助具であって、
洗濯物をその周囲に巻き付ける被巻付け具と、洗濯物を巻き付けた被巻付け具全体を覆うネットとから構成され、
前記被巻付け具は合成樹脂、発泡ゴム、ウレタンの何れかを用いて肉厚の薄い円筒状に形成し、その側壁全面には小径の丸穴貫通孔が網目状に形成されており、
前記ネットは伸縮性の高い素材にて前記被巻付け具に巻き付けた洗濯物を被巻付け具に締めつけできる大きさの円筒状に形成し、円筒状両端部には開口部を開閉する口紐が取り付けてあることを特徴とする洗濯物の型崩れ防止用洗濯補助具。
【請求項２】
請求項１に記載の洗濯物の型崩れ防止用洗濯補助具において、前記被巻付け具は円筒状に代えて、発泡スチロール、発泡ウレタン、発泡ゴムの何れかを用いて肉厚の矩形板状に形成し、表面には滑り止めのための多数の小突起が網目状に形成されており、前記ネットは円筒状に代えて前記被巻付け具に巻き付けた洗濯物を被巻付け具に締めつけできる大きさの矩形筒状に形成してあることを特徴とする洗濯物の型崩れ防止用洗濯補助具。
【手続補正２】
【補正対象書類名】明細書
【補正対象項目名】０００７
【補正方法】変更
【補正の内容】
【０００７】
前記課題を解決するための請求項１に記載の発明は、洗濯物を洗濯機で洗濯、脱水、乾燥する際に洗濯物に型崩れやしわが発生するのを防ぐため洗濯物を一定姿勢に保持する洗濯物の型崩れ防止用洗濯補助具であって、洗濯物をその周囲に巻き付ける被巻付け具と、洗濯物を巻き付けた被巻付け具全体を覆うネットとから構成され、被巻付け具は合成樹脂、発泡ゴム、ウレタンの何れかを用いて肉厚の薄い円筒状に形成し、その側壁全面には小径の丸穴貫通孔が網目状に形成されており、ネットは伸縮性の高い素材にて被巻付け具に巻き付けた洗濯物を被巻付け具に締めつけできる大きさの円筒状に形成し、円筒状両端部には開口部を開閉する口紐が取り付けてあることを特徴とする洗濯物の型崩れ防止用洗濯補助具である。
【手続補正３】
【補正対象書類名】明細書
【補正対象項目名】０００９
【補正方法】変更
【補正の内容】
【０００９】
また、請求項２に記載の発明は、請求項１に記載の洗濯物の型崩れ防止用洗濯補助具において、被巻付け具は円筒状に代えて、発泡スチロール、発泡ウレタン、発泡ゴムの何れかを用いて肉厚の矩形板状に形成し、表面には滑り止めのための多数の小突起が網目状に形成されており、ネットは円筒状に代えて前記被巻付け具に巻き付けた洗濯物を被巻付け具に締めつけできる大きさの矩形筒状に形成してあることを特徴とする洗濯物の型崩れ防止用洗濯補助具である。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】